(57)【特許請求の範囲】
【請求項１】
引き違いサッシの横枠が、障子の移動方向の途中にストッパ受けを備え、障子が、横框の内側にストッパ受けに係合可能なストッパ部材と、ストッパ部材の係止手段とを備え、ストッパ部材はストッパ受けに係合する位置と係合を解除する位置とに移動可能であり、係止手段はストッパ部材をストッパ受けとの係合を解除している位置で係止する引き違いサッシであって、
横枠は外レールの外側にストッパ受けの外側面を隠す壁部を備え、外障子のストッパ受けは壁部の室内側に設け、内障子のストッパ受けは内レールの室内側に設けたことを特徴とする引き違いサッシ。
【請求項２】
外障子における横框の室外側下縁が、壁部の上端に近接していることを特徴とする請求項１に記載の引き違いサッシ。
【請求項３】
外障子における横框の室外側下縁が、外側に突設する遮蔽部を備え、遮蔽部はストッパ受けの上面を隠すことを特徴とする請求項１又は２に記載の引き違いサッシ。
【発明の詳細な説明】
【０００１】
【発明の属する技術分野】
本発明は、引き違いサッシに関し、特に、障子を所定の開き寸法で止めることができる引き違いサッシに関する。
【０００２】
【従来の技術】
この種のサッシとして、例えば、医療福祉関連施設等に使用されているサッシでは、障子を開ける際に、患者が外に出るのを防止するために、通常は障子の開き寸法を例えば１５ｃｍ程度で止めてこれ以上開かないようにする一方、必要のある場合には、管理者等が障子を全開するというような場合がある。そのために、障子の開き状態を操作できる障子ストップ機構が必要になる。
【０００３】
従来の障子ストップ機構として、例えば、実公平５−１５０２２号公報に開示されている技術が公知である。この公報に開示されている技術では、サッシの下枠において、障子が開く範囲の中間位置にストッパ受けを設け、障子にストッパ受けに係合可能なストッパ部材を設けた構成が開示されている。
【０００４】
【発明が解決しようとする課題】
しかしながら、上述した公報に開示の技術では、ストッパ部材及びストッパ受けを障子の室外側に設けているので、室外側にいる第三者がストッパ部材及びストッパ受けに容易に気がついて、第三者が外からストッパ部材とストッパ受けとの係合を解除して障子を全開できるため、防犯性に劣るという問題がある。
【０００５】
本発明は、上述した事情に鑑みたものであり、所定の開き寸法で止めることが可能であり且つ防犯に優れる引き違いサッシの提供を目的とする。
【０００６】
【課題を解決するための手段】
上記目的を達成するために、請求項１の発明は、引き違いサッシの横枠が、障子の移動方向の途中にストッパ受けを備え、障子が、横框の内側にストッパ受けに係合可能なストッパ部材と、ストッパ部材の係止手段とを備え、ストッパ部材はストッパ受けに係合する位置と係合を解除する位置とに移動可能であり、係止手段はストッパ部材をストッパ受けとの係合を解除している位置で係止する引き違いサッシであって、横枠は外レールの外側にストッパ受けの外側面を隠す壁部を備え、外障子のストッパ受けは壁部の室内側に設け、内障子のストッパ受けは内レールの室内側に設けたことを特徴とする。
【０００７】
この請求項１に記載の発明では、ストッパ部材が係合位置にあるときに、障子を開いた場合に、ストッパ部材が、横枠の途中に固定されたストッパ受けに係合するので、障子は、所定の開き寸法で止まる。一方、ストッパ部材を解除位置に位置させると、ストッパ部材は係止手段に係止されるので、そのまま解除状態が保持され、障子を全開できる。
【０００８】
ストッパ部材は、横框内にあるので、室外側から見え難い。外障子のストッパ受けは、横枠に設けた壁部の内側にあり、ストッパ受けは壁部の陰に隠れているので、室外側から見え難くい。また、内障子のストッパ受けは、内レールの室内側にあり、室外側から見ると内レールの陰に隠れて室外側から見え難い。従って、内障子及び外障子において、ストッパ部材及びストッパ受けはそれぞれ、室外側にいる第三者から見え難いので、室外側の第三者がストッパ部材とストッパ受けとの係合を解除するのを防止でき、防犯に優れる。
【０００９】
請求項２に記載の発明は、請求項１に記載の発明において、外障子における横框の室外側下縁が、壁部の上端に近接していることを特徴とする。
【００１０】
この請求項２に記載の発明では、請求項１に記載の作用効果を奏するとともに、外障子における横框の室外側下縁と壁部との間の隙間を小さくし、外障子のストッパ受けが更に見え難くくしているので、更に防犯に優れる。
【００１１】
請求項３に記載の発明は、請求項１又は２に記載の発明において、外障子における横框の室外側下縁が、外側に突設する遮蔽部を備え、遮蔽部はストッパ受けの上面を隠すことを特徴とする。
【００１２】
この請求項３に記載の発明では、請求項１又は２に記載の作用効果を奏するとともに、外障子における横框の室外側下縁に、ストッパ受けの上面を隠す遮蔽部を設けているので、室外側から外障子のストッパ受けを更に見え難くでき、更に防犯に優れる。
【００１３】
また、本発明は、外れ止め装置を備える引き違いサッシでもある。この外れ止め装置では、ストッパ部材が外れとめ部材として作用するものであり、下枠上を左右に移動するサッシ下框の内側に外れ止め部材を回動可能に支持し、外れ止め部材の係止手段を具備し、外れ止め部材は外れ止め係合する位置と、係合を解除する位置とに移動可能であり、障子の外れ止め部材をレールの室内側に位置させたことを特徴とするものである。
【００１４】
この外れ止め装置を備える引き違いサッシでは、外れ止め部材の係合を解除した状態にしておくと、外れ止め部材は自重で垂れ下がり、障子を持ち上げて枠から外そうとしても外れ止め部材がレールにぶつかり、障子を室外側から外せないことになる。
【００１５】
【発明の実施の形態】
以下、本発明の実施の形態に係る引き違いサッシを図面を参照して説明する。図１は引き違いサッシの横断面図、図２はストッパ部材がストッパ受けに係合している状態における下框と下枠との内側を示す正面図、図３はストッパ部材がストッパ受けに係合している状態における下框と下枠との縦断面図である。
【００１６】
本実施の形態にかかる引き違いサッシ１は、例えば、医療福祉関連施設に取り付けられる２枚戸の引き違いサッシであり、外障子７ａ及び内障子７ｂをそれぞれ途中までしか開けないようにする障子ストップ機構３を備えている。下枠（横枠）５には、外障子７ａが走行する外レール８ａと、内障子７ｂが走行する内レール８ｂとが設けられている。
【００１７】
外レール８ａの室外側には、網戸レール１０が設けられており、この網戸レール１０を網戸１２が走行する。
【００１８】
網戸レール１０と外レール８ａとの間には、外レール８ａに沿って配置され、上方に突設した突条（壁部）１４が設けられている。この突条１４はストッパ受け１１ａの外側面を隠すものであり、室外側から下枠５側を見た場合に、ストッパ受け１１ａは突条１４の陰に隠れて見え難くしている。
【００１９】
下枠５には、外障子７ａ及び内障子７ｂが移動する長手方向の途中において、外障子７ａ側のストッパ受け１１ａと内障子７ｂ側のストッパ受け１１ｂとがそれぞれビス１３により固定されている。外障子７ａ側のストッパ受け１１ａは、外レール８ａと突条１４との間に取り付けられており、ストッパ受け１１ａはその外側面が突条１４の室内側に隠れて見え難くなっているとともに、ストッパ受け１１ａは外レール８ａと突条１４とに挟まれているので、ずれやぶれが生じ難い。
【００２０】
下框２１の室外側壁２０の下縁２２は、突条１４の上端に近接しており、突条１４と下縁２２との間の隙間を小さくして、室外側からストッパ受け１１ａの上面を見え難くくしている。
【００２１】
更に、室外側壁２０の下縁２２には、室外側に突設する遮蔽部２４が形成されており、室外側の斜め上からストッパ受け１１ａ向かう視線を遮蔽し、ストッパ受け１１ａの上面を更に見え難くしている。
【００２２】
内障子７ｂ側のストッパ受け１１ｂは、内レール８ｂの室内側に取り付けられており、内レール８ｂの影に隠れて室外側から見え難くなっている。また、ストッパ受け１１ｂは内レール８ｂと内側縁２６との間に位置し、内側縁２６には、内障子７ｂの下框２１に当接するシール材２８が取り付けられており、ストッパ受け１１ｂは、内側縁２６とシール材２８とで隠されているので、室内側からも見え難くなっている。
【００２３】
外障子７ａ側のストッパ受け１１ａと内障子７ｂ側のストッパ受け１１ｂとはそれぞれ、金属やプラスチックにより略板状に作られており、当接部１５と傾斜部１７を有している。当接部１５には衝撃力を緩衝するために弾力性を有する材料で作られたクッション材１９が貼付られている。このクッション材１９は、弾力性を有する材料、例えば軟質の塩化ビニルで作られている。
【００２４】
一方、外障子７ａ及び内障子７ｂの下框２１には、その内側にストッパ本体２３が複数のビス２５により固定されている。ストッパ本体２３は、下框２１の内壁面に取り付けた取付基部２７と、ストッパ部材２９とから構成されており、この取付基部２７に対してストッパ部材２９が回転可能に軸支されている。
【００２５】
取付基部２７は、縦断面が略コ字形状に形成されており、コ字状の内側にストッパ部材２９が収納されている。
【００２６】
ストッパ部材２９は、その基端部から延出する棹部３５を備えており、全体としてへの字形状に形成されている。ストッパ部材２９の基端部は回動軸３３に固定されており、ストッパ部材２９は、回動軸３３と共に回動するようになっている。ストッパ部材２９の先端部３０は、自然状態では自重により下枠５側に位置し、ストッパ受け１１ｂの当接部１５に突き当たる突き当て端部３７は当接部１５の傾斜に合わせて傾斜しており、当接部１５と突き当て部３７とが噛み合うようになっている。
【００２７】
外障子７ａにおいて、ストッパ部材２９の先端部３０は、外レール８ａの側面に対峙する面状の対峙部３２を備えている。対峙部３２は、ストッパ部材２９の先端部３０が下がっているとき（ストッパ受け１１ａと係合状態の位置にあるとき及びストッパ受け１１ａと係合状態にないときの両方の場合を含む）に、外レール８ａの室外側面とわずかな間隙を空けて対峙している。このように、ストッパ部材２９に対峙部３２を設けることにより、外障子７ａが室外圧を受けて室内外方向に横揺れしようとすると、対峙部３２が外レール８ａの側面に当接して横揺れを防止するとともに、障子外７ａの歪みを防止するものである。
【００２８】
同様に内障子７ｂにおいても、ストッパ部材２９の先端部３０は、内レール８ｂの側面に対峙する面状の対峙部３２を備えており、内障子７ｂが室内圧を受けて横揺れしたり、歪むのを防止している。
【００２９】
棹部３５には操作摘み３１が設けられており、この操作摘み３１は、下框２１の室内側にあり、室内からの操作によりストッパ部材２９を係合位置（図２中に実線で示す位置）と係合の解除位置（図２中に一点鎖線で示す位置）とに移動させる。
【００３０】
また、ストッパ部材２９には、その上部に一体に形成された係合部４１を備えており、係合部４１は、取付基部２７に固定されている係止バー４３に、弾性変形により把持して、係止可能になっている。係止バー４３は、取付基部２７の内側に形成された空間を横切って両側壁に架け渡されている。係合部４１は、円弧形状の凹みを形成した把持部を備えており、係止バー４３は、この把持部を押し開いて凹みに係合するものである。
【００３１】
本実施の形態では、係合部４１と係止バー４３とにより係止手段４５が構成されており、ストッパ部材２９を上方の解除位置に回動させるだけでストッパ部材２９を容易に係止可能な構成になっている。
【００３２】
このように、係止手段４５により、ストッパ部材２９が係止された状態では、図２に一点鎖線で示すように、ストッパ部材２９の突き当て部３７がストッパ受け１１ａよりも上にある位置で保持され、ストッパ部材２９の下がりを防止している。
【００３３】
また、棹部３５には、ストッパ部材２９の突き当て部３７が当接位置にあるか、解除位置にあるかを表示する表示部５１が一体に設けられている。この表示部５１は、色の異なる２箇所の着色部５７、５９を備えており、ストッパ部材２９の位置に対応して、下框２１の室外側に形成された表示孔５５に各着色部５７、５９が位置して、色を表示するものである。
【００３４】
次に、上記引き違いサッシ１の作用を説明する。図２に示すように、ストッパ部材２９の突き当て端部３７は自重により下がった位置にあり、この状態で内障子７ｂを位置Ｐ１から位置Ｐ２にＴ１方向と反対方向に沿って開き寸法Ｌ分移動すると、ストッパ部材２９の突き当て端部３７がストッパ受け１１のクッション材１９に当接して止まり、それ以上内障子７ｂは開かない。内障子７ｂの開き寸法Ｌは、例えば１５ｃｍ程度である。この場合に、ストッパ部材２９の突き当て端部３７はストッパ受け１１のクッション材１９に対して傾斜して食い込む。
【００３５】
また、ストッパ部材２９は、下框２１の内側にあるので、下框２１の外側からは容易に手で触れることができず、ストッパ部材２９を指等で外すことは困難である。
【００３６】
尚、ストッパ部材２９が、図２で示す下方位置（係合位置）にあるときには、表示孔５５には第１着色部５７が位置し、ストッパ部材２９が係合状態にあることを表示するので、室外側からストッパ部材２９の位置を容易に把握することができる。
【００３７】
一方、管理者等が必要に応じて内障子７ｂを全開したい場合には、図２において、内障子７ｂをＴ１方向と反対方向に少し戻して、操作摘み３１を操作して、ストッパ部材２９の突き当て部３７を、ストッパ受け１１の上方の位置に持ち上げる。これによって、ストッパ受け１１ｂとストッパ部材２９との当接が解除されるとともに、ストッパ部材２９に設けられている係合部４１が係止バー４３に弾性変形して嵌まり、ストッパ部材２９は、ストッパ受け１１との係合の解除状態が保持される。従って、内障子７ｂは移動可能になり、内障子７ｂを全開できる。
【００３８】
更に、ストッパ部材２９は、その突き当て端部３７が、ストッパ受け１１ｂに対して上方に保持された状態のままであるから、常時全開可能な状態にある。尚、この状態において、表示孔５５には、第２着色部が表示される。
【００３９】
また、全開可能な状態から半開きの状態に内障子７ｂを閉めるときには、操作摘み３１を摘んで、上方に引き上げる。これにより、ストッパ部材２９の突き当て端部３７は下方に向けて回動し、係止バー４３と係合部４１との係合が解除されるので、ストッパ部材２９は、その突き当て端部３７が自重により下方位置するように回動する。
【００４０】
この状態で、内障子７ｂを図１の位置Ｐ１側へＴ１方向に移動させて閉めれば、何ら操作することなくストッパ部材２９はストッパ受け１１ｂの傾斜部１７の上を摺動して移動して、ストッパ受け１１ｂを越えることができる。
【００４１】
ストッパ部材２９は、その自重により、図２で示すように下方位置にあるので、再び、内障子７ｂを開ける場合には、図２に示す位置Ｐ１から位置Ｐ２にＴ１方向と反対の方向に沿って開き寸法Ｌ分移動すると、ストッパ部材２９の突き当て端部３７は、ストッパ受け１１ｂのクッション材１９に当接し、内障子７ｂの移動が阻止される。従って、内障子７ｂは途中までしか開かなくなる。
【００４２】
尚、外障子７ａにおいても上記した内障子７ｂと同様に作用するとともに操作する。
【００４３】
これらの障子７ａ、７ｂを所定の開き寸法で止めた状態において、外障子７ａ及び内障子７ｂでは、ストッパ部材２９は下框２１内にあるので、室外側にいる第三者から見え難く、発見され難い。一方、外障子７ａのストッパ受け１１ａはその室外側面が突条１４の陰に隠れて室外側から見え難くなっているとともに、ストッパ受け１１ａの上面も下框２１の室外側下縁２２及び遮蔽部２４により見え難くなっているので、ストッパ部材１１ａも発見され難い。
【００４４】
また、内障子７ｂのストッパ受け１１ｂは、内レール８ｂの室内側にあるので、外から見え難く、ストッパ受け１１ｂも外から発見され難い。
【００４５】
従って、室外側の第三者は、障子ストップ機構３の存在に気がつかず、ストッパ受け１１ａ、１１ｂとストッパ部材２９との係合を外すことが困難であるから、防犯に優れる。  また、本発明は、外れ止め装置を備える引き違いサッシでもある。この外れ止め装置では、ストッパ部材が外れとめ部材として作用するものであり、下枠上を左右に移動するサッシ下框の内側に外れ止め部材を回動可能に支持し、外れ止め部材の係止手段を具備し、外れ止め部材は外れ止め係合する位置と、係合を解除する位置とに移動可能であり、障子の外れ止め部材をレールの室内側に位置させたことを特徴とするものである。
【００４６】
本実施の形態にかかるストッパ部材２９は外れ止め機構としても作用するものである。この外れ止め機構では、ストッパ部材２９が内障子７ｂが枠から外れるのを防止するものであり、ストッパ部材２９は外れ止め部材として作用する。即ち、外れ止め部材（ストッパ部材２９）を係止バー４３との係合を解除した状態にしておくと、外れ止め部材（ストッパ部材２９）は自重で垂れ下がった状態にあるので、室外側から第三者が内障子７ｂを持ち上げて枠から外そうとしても外れ止め部材（ストッパ部材２９）が内レール８ｂにぶつかり、内障子７ｂを室外側から外せないことになる。従って、防犯に優れたものである。
【００４７】
本発明は、上述した実施の形態に限定されず、種々の変形が可能である。例えば、係止手段４５は、取付基部２７の内側面に上方ほど間隔の狭くなるテーパを設けストッパ部材を取付基部２７の内側面で圧接して保持するものであってもよい。
【００４８】
また、回動軸３３にシリンダを用い、シリンダのキー操作によりストッパ部材２９の回動を操作するものであってもよい。
【００４９】
障子ストップ機構３は、下框２１に限らず、上框に設けてもよい。この場合、ストッパ部材２９は、スプリング等により上枠に設けたストッパ受け側に付勢する。
【００５０】
更に、壁部は、図４に示すように、網戸レール１０が形成するものであってもよい。
【００５１】
【発明の効果】
請求項１に記載の発明によれば、外障子のストッパ受けは、壁部の室内側に設けているので、外障子のストッパ受けは壁部の陰に隠れて室外側から見え難く、内障子のストッパ受けは、内レールの室内側に設けているので、内レールの陰に隠れて室外側から見え難い。外障子及び内障子のストッパ部材は横框の内側にあるので、室外側から見え難い。従って、外障子及び内障子のストッパ受け及びストッパ部材はいずれも室外側から見え難いので、室外側の第三者に発見され難く、ストッパ部材とストッパ受けとの係合を室外側から解除するのを防止でき、防犯に優れる。
【００５２】
請求項２に記載の発明によれば、請求項１に記載の効果を奏するとともに、外障子における横框の室外側下縁と壁部との間の隙間を小さくし、外障子のストッパ受けが更に見え難くいので、更に防犯に優れる。
【００５３】
請求項３に記載の発明によれば、請求項１又は２に記載の効果を奏するとともに、外障子における横框の室外側下縁に遮蔽部を設けているので、外障子のストッパ受けを更に見え難くでき、更に防犯に優れる。
【図面の簡単な説明】
【図１】障子ストッパが取り付けられたサッシの横断面図である。
【図２】ストッパ部材がストッパ受けに係合している状態における下框と下枠との内側を示す正面図である。
【図３】ストッパ部材がストッパ受けに係合している状態における下框と下枠との縦断面図である。
【図４】本実施の形態の変形を示し、下枠の室外側部と室外側障子の下框とを示す縦断面図である。
【符号の説明】
１  引き違いサッシ
５  下枠（横枠）
７ａ  外障子
７ｂ  内障子
８ａ  外レール
８ｂ  内レール
１１ａ、１１ｂ  ストッパ受け
１４  突条（壁部）
２１  下框（横框）
２２  室外側下縁
２４  遮蔽部
２９  ストッパ部材
４５  係止手段
【図１】
0003951520.tif 000002
【図２】
0003951520.tif 000003
【図３】
0003951520.tif 000004
【図４】
0003951520.tif 000005